(57)【特許請求の範囲】
【請求項１】
特定のアプリケーションがインストールされた携帯端末を利用して呼びを登録するエレベーターシステムであって、
かごを制御する制御装置と、
前記かごが停止する乗場に設けられ、前記アプリケーションを起動するための無線信号を発する発信装置と、
前記制御装置に接続されたサーバと、
を備え、
前記アプリケーションが起動すると、前記制御装置と出発階と前記携帯端末とを特定するための第１信号が前記携帯端末から前記サーバに送信され、
前記サーバに、前記制御装置に対して設定された利用者毎の行先階の情報が記憶され、
前記サーバは、前記携帯端末から受信した前記第１信号に基づいて前記携帯端末の利用者の行先階を特定し、出発階及び行先階の情報を含む第２信号を送信し、
前記制御装置は、前記サーバからの前記第２信号に基づいて呼びを登録し、その登録した呼びに前記かごを応答させ、
前記携帯端末は表示器を備え、
前記アプリケーションが前記携帯端末にインストールされてから前記携帯端末が前記発信装置から初めて無線信号を受信すると、行先階を入力するための設定画面が前記表示器に表示され、
前記表示器に表示された設定画面から入力された行先階の情報が前記サーバに記憶されるエレベーターシステム。
【請求項２】
前記サーバは、前記携帯端末から受信した前記第１信号に基づいて前記携帯端末の利用者の出発階と行先階とを特定し、
前記第２信号に、当該特定された出発階及び行先階の情報が含まれる請求項１に記載のエレベーターシステム。
【請求項３】
前記制御装置に診断運転を行わせることにより、前記サーバに送るためのデータを前記診断運転で取得する保守装置を更に備え、
前記サーバは、前記保守装置を介して前記制御装置に前記第２信号を送信する請求項１又は請求項２に記載のエレベーターシステム。
【請求項４】
前記発信装置は、前記制御装置と通信しない請求項１から請求項３の何れか一項に記載のエレベーターシステム。
【請求項５】
特定のアプリケーションがインストールされた携帯端末を利用して呼びを登録するエレベーターシステムであって、
複数のかごを一群として管理する群管理装置と、
前記複数のかごが停止する乗場に設けられ、前記アプリケーションを起動するための無線信号を発する発信装置と、
前記群管理装置に接続されたサーバと、
を備え、
前記アプリケーションが起動すると、前記群管理装置と出発階と前記携帯端末とを特定するための第１信号が前記携帯端末から前記サーバに送信され、
前記サーバに、前記群管理装置に対して設定された利用者毎の行先階の情報が記憶され、
前記サーバは、前記携帯端末から受信した前記第１信号に基づいて前記携帯端末の利用者の行先階を特定し、出発階及び行先階の情報を含む第２信号を送信し、
前記群管理装置は、前記サーバからの前記第２信号に基づいて呼びを登録し、その登録した呼びに応答させるかごを前記複数のかごの中から決定し、
前記携帯端末は表示器を備え、
前記アプリケーションが前記携帯端末にインストールされてから前記携帯端末が前記発信装置から初めて無線信号を受信すると、行先階を入力するための設定画面が前記表示器に表示され、
前記表示器に表示された設定画面から入力された行先階の情報が前記サーバに記憶されるエレベーターシステム。
【請求項６】
前記サーバは、前記携帯端末から受信した前記第１信号に基づいて前記携帯端末の利用者の出発階と行先階とを特定し、
前記第２信号に、当該特定された出発階及び行先階の情報が含まれる請求項５に記載のエレベーターシステム。
【請求項７】
前記群管理装置に診断運転を行わせることにより、前記サーバに送るためのデータを前記診断運転で取得する保守装置を更に備え、
前記サーバは、前記保守装置を介して前記群管理装置に前記第２信号を送信する請求項５又は請求項６に記載のエレベーターシステム。
【請求項８】
前記複数のかごの中の１台を制御する制御装置と、
前記制御装置に診断運転を行わせることにより、前記サーバに送るためのデータを前記診断運転で取得する保守装置と、
を更に備え、
前記サーバは、前記保守装置及び前記制御装置を介して前記群管理装置に前記第２信号を送信する請求項５又は請求項６に記載のエレベーターシステム。
【請求項９】
前記発信装置は、前記群管理装置と通信しない請求項５から請求項８の何れか一項に記載のエレベーターシステム。
【請求項１０】
前記サーバは、前記携帯端末から第１信号を受信すると、前記発信装置が設置されたビルに関する情報を前記表示器に表示させるための第３信号を前記携帯端末に送信する請求項１から請求項９の何れか一項に記載のエレベーターシステム。
【発明の詳細な説明】
【技術分野】
【０００１】
この発明は、エレベーターシステムに関する。
【背景技術】
【０００２】
特許文献１に、エレベーターシステムが記載されている。特許文献１に記載されたシステムでは、呼びを登録するために携帯端末が利用される。例えば、携帯端末から利用者の行先階の情報が送信される。携帯端末からの情報は、乗場に設けられたアクセスポイントを介して制御装置に受信される。
【先行技術文献】
【特許文献】
【０００３】
【特許文献１】日本特許第６３２１１２４号公報
【発明の概要】
【発明が解決しようとする課題】
【０００４】
特許文献１に記載されたエレベーターシステムは、携帯端末が制御装置と通信するためのアクセスポイントを備える。このため、アクセスポイントを管理するための手間が必要になるといった問題があった。例えば、エレベーターの利用者がアクセスポイントを利用できるようにしつつ、不正な利用を防御するように、アクセスポイントのセキュリティ情報をエレベーター装置の設置現場毎に管理しなければならない。【０００５】
この発明は、上述のような課題を解決するためになされた。この発明の目的は、携帯端末を利用して呼びを登録することができるとともに、管理が容易であるエレベーターシステムを提供することである。
【課題を解決するための手段】
【０００７】
この発明に係るエレベーターシステムは、かごを制御する制御装置と、かごが停止する乗場に設けられ、アプリケーションを起動するための無線信号を発する発信装置と、制御装置に接続されたサーバと、を備える。アプリケーションが起動すると、制御装置と出発階と携帯端末とを特定するための第１信号が携帯端末からサーバに送信される。サーバに、制御装置に対して設定された利用者毎の行先階の情報が記憶される。サーバは、携帯端末から受信した第１信号に基づいて携帯端末の利用者の行先階を特定し、出発階及び行先階の情報を含む第２信号を送信する。制御装置は、サーバからの第２信号に基づいて呼びを登録し、その登録した呼びにかごを応答させる。携帯端末は表示器を備える。アプリケーションが携帯端末にインストールされてから携帯端末が発信装置から初めて無線信号を受信すると、行先階を入力するための設定画面が表示器に表示される。表示器に表示された設定画面から入力された行先階の情報がサーバに記憶される。
【０００９】
この発明に係るエレベーターシステムは、複数のかごを一群として管理する群管理装置と、複数のかごが停止する乗場に設けられ、アプリケーションを起動するための無線信号を発する発信装置と、群管理装置に接続されたサーバと、を備える。アプリケーションが起動すると、群管理装置と出発階と携帯端末とを特定するための第１信号が携帯端末からサーバに送信される。サーバに、群管理装置に対して設定された利用者毎の行先階の情報が記憶される。サーバは、携帯端末から受信した第１信号に基づいて携帯端末の利用者の行先階を特定し、出発階及び行先階の情報を含む第２信号を送信する。群管理装置は、サーバからの第２信号に基づいて呼びを登録し、その登録した呼びに応答させるかごを複数のかごの中から決定する。携帯端末は表示器を備える。アプリケーションが携帯端末にインストールされてから携帯端末が発信装置から初めて無線信号を受信すると、行先階を入力するための設定画面が表示器に表示される。表示器に表示された設定画面から入力された行先階の情報がサーバに記憶される。
【発明の効果】
【００１０】
この発明に係るエレベーターシステムであれば、携帯端末を利用して呼びを登録することができる。また、システムの管理を容易にすることができる。
【図面の簡単な説明】
【００１１】
【図１】実施の形態１におけるエレベーターシステムの例を示す図である。
【図２】携帯端末の例を示す図である。
【図３】サーバの例を示す図である。
【図４】携帯端末の動作例を示すフローチャートである。
【図５】サーバの動作例を示すフローチャートである。
【図６】制御装置の動作例を示すフローチャートである。
【図７】携帯端末の他の動作例を示すフローチャートである。
【図８】サーバの他の動作例を示すフローチャートである。
【図９】携帯端末の他の動作例を示すフローチャートである。
【図１０】サーバの他の動作例を示すフローチャートである。
【図１１】携帯端末の動作例を示すフローチャートである。
【図１２】サーバの動作例を示すフローチャートである。
【図１３】サーバの他の動作例を示すフローチャートである。
【図１４】携帯端末の他の動作例を示すフローチャートである。
【図１５】携帯端末の他の動作例を示すフローチャートである。
【図１６】サーバの他の動作例を示すフローチャートである。
【図１７】実施の形態３におけるエレベーターシステムの例を示す図である。
【図１８】サーバの動作例を示すフローチャートである。
【図１９】群管理装置の動作例を示すフローチャートである。
【図２０】実施の形態３におけるエレベーターシステムの他の例を示す図である。
【図２１】代表号機として設定されたエレベーター装置の制御装置の動作例を示すフローチャートである。
【図２２】サーバの動作例を示すフローチャートである。
【図２３】サーバのハードウェア資源の例を示す図である。
【図２４】サーバのハードウェア資源の他の例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、実施の形態１におけるエレベーターシステムの例を示す図である。図１に示すエレベーターシステムは、例えばエレベーター装置１、発信装置２、携帯端末３、及びサーバ４を備える。
【００１４】
エレベーター装置１は、例えばネットワーク５を介してサーバ４に接続される。ネットワーク５は、例えばＩＰネットワークである。ＩＰネットワークは、通信プロトコルとしてＩＰ（Ｉｎｔｅｒｎｅｔ  Ｐｒｏｔｏｃｏｌ）を用いた通信ネットワークである。ネットワーク５は、クローズドネットワークでも良いし、オープンネットワークでも良い。エレベーター装置１は、サーバ４に接続されるエレベーター装置の一例である。サーバ４には、多数のエレベーター装置が接続される。
【００１５】
エレベーター装置１は、例えばかご１１及びつり合いおもり１２を備える。かご１１は、昇降路１３を上下に移動する。かご１１及びつり合いおもり１２は、主ロープ１４によって昇降路１３に吊り下げられる。主ロープ１４は、巻上機１５の駆動綱車１６に巻き掛けられる。巻上機１５は、制御装置１７によって制御される。即ち、制御装置１７は、かご１１の移動を制御する。また、かご１１は、かごドアを備える。かご１１が停止するエレベーターの各乗場２０に、乗場ドアが設けられる。制御装置１７は、かご１１をある乗場２０に停止させると、かごドアを開閉させる。乗場２０に乗場ドアを駆動するための装置は設けられていない。乗場ドアは、かごドアが対向する位置で開閉すると、かごドアの開閉に連動して開閉する。即ち、制御装置１７は、ドアの開閉を制御する。制御装置１７に保守装置１８が接続される。保守装置１８に通信装置１９が接続される。サーバ４は、通信装置１９及び保守装置１８を介して制御装置１７に接続される。
【００１６】
発信装置２は、例えばビーコンであり、特定周波数帯の無線信号を発する。発信装置２は、かご１１が停止する乗場２０に設けられる。発信装置２は、かご１１が停止する全ての乗場２０に設けられても良い。発信装置２は、かご１１が停止する一部の乗場２０に設けられても良い。例えば、発信装置２は、建物のロビー階の乗場２０にのみ設けられても良い。
【００１７】
携帯端末３は、利用者が所有する端末である。携帯端末３は、例えばスマートフォンである。本システムでは、利用者は、携帯端末３を利用して呼びを登録することができる。携帯端末３を利用した呼び登録を行うためには、携帯端末３に、呼び登録用の特定のアプリケーションが予めインストールされている必要がある。例えば、利用者は、エレベーター装置１の管理を行う保守会社のホームページに携帯端末３からアクセスすることにより、携帯端末３に上記アプリケーションをダウンロードすることができる。以下の説明では、このアプリケーションのことを「アプリケーションＡ」と表記する。
【００１８】
図２は、携帯端末３の例を示す図である。携帯端末３は、例えば表示器３１、及び入力部３２を備える。図３は、サーバ４の例を示す図である。サーバ４は、例えば記憶部４１、通信部４２、及び特定部４３を備える。
【００１９】
以下に、本システムの動作について詳しく説明する。図４は、携帯端末３の動作例を示すフローチャートである。
【００２０】
乗場２０では、発信装置２が例えば一定の周期で無線信号を発する。携帯端末３は、発信装置２が発した無線信号を受信する機能を有する。携帯端末３では、発信装置２が発した無線信号を受信したか否かが判定される（Ｓ１０１）。
【００２１】
例えば、携帯端末３を所持する利用者が乗場２０に近づくと、発信装置２が発した無線信号が携帯端末３によって受信される（Ｓ１０１のＹｅｓ）。発信装置２が発した無線信号を携帯端末３が受信すると、携帯端末３では、アプリケーションＡが自動的に起動する（Ｓ１０２）。
【００２２】
発信装置２が発する無線信号は、携帯端末３にインストールされたアプリケーションＡを自動で起動させるための信号である。発信装置２が発する無線信号には、例えば第１情報、第２情報、及び第３情報が含まれる。Ｓ１０２でアプリケーションＡが起動すると、携帯端末３からサーバ４に第１信号が自動的に送信される（Ｓ１０３）。この第１信号には、例えば、発信装置２からの無線信号に含まれていた第１情報、第２情報、及び第３情報が含まれる。
【００２３】
図５は、サーバ４の動作例を示すフローチャートである。サーバ４では、携帯端末３から第１信号を受信したか否かが判定される（Ｓ２０１）。Ｓ１０３で携帯端末３が送信した第１信号を通信部４２が受信すると、Ｓ２０１でＹｅｓと判定される。記憶部４１に、第１信号に含まれる情報から建物番号、号機番号、及び出発階を特定するための第１変換テーブルが予め記憶される。特定部４３は、通信部４２が受信した第１信号と記憶部４１に記憶された第１変換テーブルとに基づいて、建物番号、号機番号、及び出発階を特定する（Ｓ２０２）。表１は、記憶部４１に記憶された第１変換テーブルの例を示す。
【００２４】
【表１】
0006590118.tif 000002
【００２５】
例えば、エレベーター装置１がＡＢＣビルに備えられた１号機のエレベーター装置であり、発信装置２がかご１１が停止する１階の乗場２０に設置されている例を考える。かかる場合、発信装置２が発する無線信号には、第１情報「１００１」、第２情報「２００１」、及び第３情報「０１」が含まれる。
【００２６】
特定部４３は、通信部４２が第１信号を受信すると、その第１信号に含まれる第１情報を、記憶部４１に記憶された第１変換テーブルに基づいて建物番号に変換する。上記例であれば、特定部４３は、第１情報「１００１」を建物番号「Ｂ０００１」に変換する。建物番号「Ｂ０００１」は、ＡＢＣビルに割り当てられた番号である。
【００２７】
特定部４３は、通信部４２が第１信号を受信すると、その第１信号に含まれる第２情報を、記憶部４１に記憶された第１変換テーブルに基づいて号機番号に変換する。上記例であれば、特定部４３は、第２情報「２００１」を号機番号「Ｅ０１」に変換する。号機番号「Ｅ０１」は、１号機のエレベーター装置に割り当てられた番号である。
【００２８】
建物番号「Ｂ０００１」と号機番号「Ｅ０１」との組み合わせにより、利用者が乗ろうとしているエレベーター装置を、ＡＢＣビルに備えられた１号機、即ちエレベーター装置１と特定することができる。発信装置２が発する無線信号に含まれる第１情報及び第２情報は、エレベーター装置１、及びエレベーター装置１の制御装置１７を特定するための情報である。なお、建物にエレベーター装置が１台しか備えられていない場合は、発信装置からの無線信号に第２情報が含まれていなくても、特定部４３は、対応のエレベーター装置を特定することができる。
【００２９】
特定部４３は、通信部４２が第１信号を受信すると、その第１信号に含まれる第３情報を、記憶部４１に記憶された第１変換テーブルに基づいて出発階に変換する。上記例であれば、特定部４３は、第３情報「０１」を出発階「１階」に変換する。特定部４３は、例えば、発信装置２の設置階を利用者の出発階として特定する。
【００３０】
Ｓ２０１で受信した第１信号から特定部４３が建物番号、号機番号、及び出発階を特定すると、通信部４２は第２信号を送信する（Ｓ２０３）。第２信号には、例えば、特定部４３が特定した建物番号、号機番号、及び出発階の情報が含まれる。上述したように、特定部４３が特定した建物番号「Ｂ０００１」及び号機番号「Ｅ０１」からエレベーター装置１が特定される。通信部４２は、エレベーター装置１の制御装置１７に第２信号を送信する。
【００３１】
図６は、制御装置１７の動作例を示すフローチャートである。制御装置１７では、サーバ４から第２信号を受信したか否かが判定される（Ｓ３０１）。Ｓ２０３でサーバ４が送信した第２信号を通信装置１９及び保守装置１８を介して制御装置１７が受信すると、Ｓ３０１でＹｅｓと判定される。制御装置１７は、Ｓ３０１で受信した第２信号に基づいて呼びを登録する（Ｓ３０２）。第２信号には、出発階の情報が含まれる。例えば、制御装置１７は、第２信号に含まれる出発階の情報に基づいて乗場呼びを登録する。制御装置１７は、Ｓ３０２で呼びを登録すると、その登録した呼びにかご１１を応答させる（Ｓ３０３）。具体的に、制御装置１７は、出発階にかご１１を停止させ、ドアを開放させる。
【００３２】
本実施の形態に示す例であれば、利用者は、携帯端末３を利用して呼びを登録することができる。利用者が携帯端末３を所持して乗場２０に接近すれば、自動的に呼びが登録される。利用者は、呼びを登録するために携帯端末３を操作する必要がない。
【００３３】
また、本実施の形態に示す例では、発信装置２が発した無線信号を携帯端末３が受信すると、携帯端末３からサーバ４に第１信号が送信される。携帯端末３からの第１信号をサーバ４が受信すると、サーバ４から制御装置１７に第２信号が送信される。このため、本システムは、携帯端末３が制御装置１７と通信するための専用のアクセスポイントを備える必要がない。このため、システムの管理を容易に行うことができる。
【００３４】
例えば、サーバ４は、エレベーター装置１を管理する保守会社に備えられる。エレベーター装置１を管理するため、サーバ４と制御装置１７との間には保守用の通信路が確立されている。例えば、保守装置１８は、定期的に制御装置１７に診断運転を行わせる。保守装置１８は、診断運転において、異常を検出するために必要な各種データを取得する。保守装置１８は、診断運転で取得したデータを通信装置１９を介してサーバ４に送信する。
【００３５】
本システムにおいて、発信装置２は、制御装置１７と通信しなくても良い。発信装置２は、エレベーター装置１に備えられた機器に接続されていなくても良い。発信装置２は、例えば内部に電池を備えても良い。
【００３６】
以下に、本システムが採用可能な他の機能について説明する。本システムは、以下に示す複数の機能を組み合わせて採用しても良い。以下に示す機能は、他の実施の形態に示す例に採用されても良い。
【００３７】
例えば、第１変換テーブルは、携帯端末３に記憶されても良い。かかる場合、特定部４３の機能も携帯端末３に備えられる。図７は、携帯端末３の他の動作例を示すフローチャートである。
【００３８】
Ｓ４０１からＳ４０２に示す処理は、Ｓ１０１からＳ１０２に示す処理と同様である。携帯端末３では、発信装置２が発した無線信号を受信したか否かが判定される（Ｓ４０１）。発信装置２が発した無線信号を携帯端末３が受信すると、携帯端末３では、アプリケーションＡが自動的に起動する（Ｓ４０２）。
【００３９】
Ｓ４０２でアプリケーションＡが起動すると、携帯端末３では、発信装置２から受信した無線信号と予め記憶された第１変換テーブルとに基づいて、建物番号、号機番号、及び出発階が特定される（Ｓ４０３）。Ｓ４０３に示す処理は、Ｓ２０２に示す処理と同様である。建物番号、号機番号、及び出発階が特定されると、携帯端末３からサーバ４に第１信号が自動的に送信される（Ｓ４０４）。この第１信号には、例えば、Ｓ４０３で特定された建物番号、号機番号、及び出発階の情報が含まれる。
【００４０】
図８は、サーバ４の他の動作例を示すフローチャートである。図８に示す動作は、携帯端末３において図７に示す動作が行われる時に実施される。
【００４１】
Ｓ５０１に示す処理は、Ｓ２０１に示す処理と同様である。サーバ４では、携帯端末３から第１信号を受信したか否かが判定される（Ｓ５０１）。Ｓ４０４で携帯端末３が送信した第１信号をサーバ４が受信すると、Ｓ５０１でＹｅｓと判定される。
【００４２】
Ｓ５０２に示す処理は、Ｓ２０３に示す処理と同様である。サーバ４は、携帯端末３から第１信号を受信すると、第２信号を送信する（Ｓ５０２）。この第２信号には、例えば、第１信号に含まれていた建物番号、号機番号、及び出発階の情報が含まれる。本実施の形態に示す例では、サーバ４は、Ｓ５０２においてエレベーター装置１の制御装置１７に第２信号を送信する。サーバ４から第２信号を受信した制御装置１７では、図６に示す動作が行われる。
【００４３】
他の例として、携帯端末３に、利用者に有用な情報を表示させても良い。図９は、携帯端末３の他の動作例を示すフローチャートである。
【００４４】
Ｓ６０１からＳ６０３に示す処理は、Ｓ１０１からＳ１０３に示す処理と同様である。携帯端末３では、発信装置２が発した無線信号を受信したか否かが判定される（Ｓ６０１）。発信装置２が発した無線信号を携帯端末３が受信すると、携帯端末３では、アプリケーションＡが自動的に起動する（Ｓ６０２）。Ｓ６０２でアプリケーションＡが起動すると、携帯端末３からサーバ４に第１信号が自動的に送信される（Ｓ６０３）。この第１信号には、例えば、第１情報、第２情報、及び第３情報が含まれる。
【００４５】
図１０は、サーバ４の他の動作例を示すフローチャートである。図１０に示す動作は、携帯端末３において図９に示す動作が行われる時に実施される。
【００４６】
Ｓ７０１からＳ７０２に示す処理は、Ｓ２０１からＳ２０２に示す処理と同様である。サーバ４では、携帯端末３から第１信号を受信したか否かが判定される（Ｓ７０１）。Ｓ６０３で携帯端末３が送信した第１信号をサーバ４が受信すると、Ｓ７０１でＹｅｓと判定される。特定部４３は、通信部４２が受信した第１信号と記憶部４１に記憶された第１変換テーブルとに基づいて、建物番号、号機番号、及び出発階を特定する（Ｓ７０２）。
【００４７】
Ｓ７０１で受信した第１信号から特定部４３が建物番号、号機番号、及び出発階を特定すると、通信部４２は、第１信号を送信してきた携帯端末３に第３信号を送信する（Ｓ７０３）。第３信号には、例えば発信装置２が設置された建物に関する情報が含まれる。上記建物は、建物番号「Ｂ０００１」から特定される。
【００４８】
Ｓ７０４に示す処理は、Ｓ２０３に示す処理と同様である。Ｓ７０１で受信した第１信号から特定部４３が建物番号、号機番号、及び出発階を特定すると、通信部４２は、エレベーター装置１の制御装置１７に第２信号を送信する（Ｓ７０４）。サーバ４から第２信号を受信した制御装置１７では、図６に示す動作が行われる。
【００４９】
また、携帯端末３では、Ｓ６０３でサーバ４に第１信号を送信すると、サーバ４から第３信号を受信したか否かが判定される（Ｓ６０４）。Ｓ７０３でサーバ４が送信した第３信号を携帯端末３が受信すると、Ｓ６０４でＹｅｓと判定される。携帯端末３では、受信した第３信号に基づいて、当該建物に関する情報が表示器３１に表示される（Ｓ６０５）。Ｓ６０５で表示器３１に表示される情報の例を以下に示す。
・エレベーター装置１の点検予定日
・建物内の店舗情報
・ごみの収集日
表示器３１に表示される情報は、上記例に限られない。
【００５０】
実施の形態２．
実施の形態１では、携帯端末３を利用して乗場呼びを登録する例について説明した。本実施の形態では、携帯端末３を利用して乗場行先呼びを登録する例について説明する。本実施の形態におけるエレベーターシステムの構成は、例えば図１に示す例と同様である。
【００５１】
図１１は、携帯端末３の動作例を示すフローチャートである。Ｓ８０１からＳ８０３に示す処理は、基本的に、Ｓ１０１からＳ１０３に示す処理と同様である。例えば、携帯端末３では、発信装置２が発した無線信号を受信したか否かが判定される（Ｓ８０１）。発信装置２が発した無線信号を携帯端末３が受信すると、携帯端末３では、アプリケーションＡが自動的に起動する（Ｓ８０２）。
【００５２】
Ｓ８０２でアプリケーションＡが起動すると、携帯端末３からサーバ４に第１信号が自動的に送信される（Ｓ８０３）。この第１信号には、例えば、発信装置２からの無線信号に含まれていた第１情報、第２情報、及び第３情報が含まれる。また、本実施の形態に示す例では、第１信号に第４情報が更に含まれる。第４情報は、携帯端末３を特定するための情報である。第４情報は、例えば端末ＩＤである。
【００５３】
図１２は、サーバ４の動作例を示すフローチャートである。Ｓ９０１からＳ９０２に示す処理は、Ｓ２０１からＳ２０２に示す処理と同様である。サーバ４では、携帯端末３から第１信号を受信したか否かが判定される（Ｓ９０１）。Ｓ８０３で携帯端末３が送信した第１信号を通信部４２が受信すると、Ｓ９０１でＹｅｓと判定される。例えば、記憶部４１に第１変換テーブルが予め記憶される。特定部４３は、通信部４２が受信した第１信号と記憶部４１に記憶された第１変換テーブルとに基づいて、建物番号、号機番号、及び出発階を特定する（Ｓ９０２）。
【００５４】
本実施の形態に示す例では、記憶部４１に、第１信号に含まれる情報から利用者の行先階を特定するための第２変換テーブルが予め記憶される。表２は、記憶部４１に記憶された第２変換テーブルの例を示す。
【００５５】
【表２】
0006590118.tif 000003
【００５６】
例えば、端末ＩＤ「３０００１」が割り当てられた携帯端末３が、第１情報「１００１」、第２情報「２００１」、及び第３情報「０１」を含む無線信号を発信装置２から受信した例を考える。かかる場合、携帯端末３は、Ｓ８０３において、第１情報「１００１」、第２情報「２００１」、第３情報「０１」、及び第４情報「３０００１」を含む第１信号をサーバ４に送信する。
【００５７】
上述したように、建物番号「Ｂ０００１」と号機番号「Ｅ０１」との組み合わせにより、エレベーター装置１が特定される。表２に示すように、記憶部４１には、エレベーター装置１、即ち制御装置１７に対して設定された利用者毎の行先階の情報が予め記憶されている。特定部４３は、Ｓ９０１で通信部４２が受信した第１信号と記憶部４１に記憶された第２変換テーブルとに基づいて、当該第１信号を送信してきた携帯端末３の利用者の行先階を特定する（Ｓ９０３）。具体的に、特定部４３は、通信部４２が受信した第１信号に含まれる第４情報を、記憶部４１に記憶された第２変換テーブルに基づいて行先階に変換する。上記例であれば、特定部４３は、第４情報「３０００１」を行先階「５階」に変換する。
【００５８】
なお、第２変換テーブルには、複数のエレベーター装置のそれぞれに対して、利用者毎の行先階の情報が予め設定される。建物に１台しかエレベーター装置が備えられていない場合は、利用者毎の行先階の情報がその建物に対して設定されても良い。
【００５９】
Ｓ９０４に示す処理は、基本的に、Ｓ２０３に示す処理と同様である。Ｓ９０１で受信した第１信号から特定部４３が建物番号、号機番号、出発階、及び行先階を特定すると、通信部４２は、エレベーター装置１の制御装置１７に第２信号を送信する（Ｓ９０４）。この第２信号には、例えば、特定部４３が特定した建物番号、号機番号、出発階、及び行先階の情報が含まれる。
【００６０】
制御装置１７では、図６に示す動作と同様の動作が行われる。例えば、制御装置１７では、サーバ４から第２信号を受信したか否かが判定される（Ｓ３０１）。Ｓ９０４でサーバ４が送信した第２信号を通信装置１９及び保守装置１８を介して制御装置１７が受信すると、Ｓ３０１でＹｅｓと判定される。制御装置１７は、Ｓ３０１で受信した第２信号に基づいて呼びを登録する（Ｓ３０２）。本実施の形態に示す例では、第２信号に、出発階及び行先階の情報が含まれる。例えば、制御装置１７は、第２信号に含まれる出発階及び行先階の情報に基づいて乗場行先呼びを登録する。
【００６１】
制御装置１７は、Ｓ３０２で呼びを登録すると、その登録した呼びにかご１１を応答させる（Ｓ３０３）。具体的に、制御装置１７は、出発階にかご１１を停止させ、ドアを開放させる。制御装置１７は、出発階でドアを閉めると、かご１１を行先階に移動させる。制御装置１７は、行先階でかご１１を停止させ、ドアを開放させる。
【００６２】
本実施の形態に示す例であれば、利用者は、携帯端末３を利用して乗場行先呼びを登録することができる。また、本実施の形態に示す例においても、携帯端末３が制御装置１７と通信するためのアクセスポイントは必要ない。このため、システムの管理を容易に行うことができる。
【００６３】
以下に、本システムが採用可能な他の機能について説明する。本システムは、以下に示す複数の機能を組み合わせて採用しても良い。以下に示す機能は、後述の実施の形態４に示す例に採用されても良い。
【００６４】
例えば、第１変換テーブルは、携帯端末３に記憶されても良い。かかる場合、特定部４３の一部の機能は携帯端末３に備えられる。携帯端末３では、図７に示す動作と同様の動作が行われる。
【００６５】
例えば、携帯端末３では、発信装置２が発した無線信号を受信したか否かが判定される（Ｓ４０１）。発信装置２が発した無線信号を携帯端末３が受信すると、携帯端末３では、アプリケーションＡが自動的に起動する（Ｓ４０２）。
【００６６】
Ｓ４０２でアプリケーションＡが起動すると、携帯端末３では、発信装置２から受信した無線信号と予め記憶された第１変換テーブルとに基づいて、建物番号、号機番号、及び出発階が特定される（Ｓ４０３）。建物番号、号機番号、及び出発階が特定されると、携帯端末３からサーバ４に第１信号が自動的に送信される（Ｓ４０４）。この第１信号には、例えば、Ｓ４０３で特定された建物番号、号機番号、及び出発階の情報が含まれる。また、第１信号には第４情報が更に含まれる。
【００６７】
図１３は、サーバ４の他の動作例を示すフローチャートである。Ｓ１００１に示す処理は、Ｓ９０１に示す処理と同様である。サーバ４では、携帯端末３から第１信号を受信したか否かが判定される（Ｓ１００１）。Ｓ４０４で携帯端末３が送信した第１信号を通信部４２が受信すると、Ｓ１００１でＹｅｓと判定される。
【００６８】
Ｓ１００２に示す処理は、Ｓ９０３に示す処理と同様である。特定部４３は、Ｓ１００１で通信部４２が受信した第１信号と記憶部４１に記憶された第２変換テーブルとに基づいて、当該第１信号を送信してきた携帯端末３の利用者の行先階を特定する（Ｓ１００２）。Ｓ１００３に示す処理は、Ｓ９０４に示す処理と同様である。Ｓ１００１で受信した第１信号から特定部４３が利用者の行先階を特定すると、通信部４２は、エレベーター装置１の制御装置１７に第２信号を送信する（Ｓ１００３）。この第２信号には、例えば、第１信号に含まれていた建物番号、号機番号、及び出発階の情報と特定部４３が特定した行先階の情報とが含まれる。
【００６９】
制御装置１７では、図６に示す動作と同様の動作が行われる。例えば、制御装置１７では、サーバ４から第２信号を受信したか否かが判定される（Ｓ３０１）。Ｓ１００３でサーバ４が送信した第２信号を通信装置１９及び保守装置１８を介して制御装置１７が受信すると、Ｓ３０１でＹｅｓと判定される。制御装置１７は、Ｓ３０１で受信した第２信号に基づいて乗場行先呼びを登録する（Ｓ３０２）。制御装置１７は、Ｓ３０２で乗場行先呼びを登録すると、その登録した乗場行先呼びにかご１１を応答させる（Ｓ３０３）。
【００７０】
他の例として、第１変換テーブルと第２変換テーブルの双方が携帯端末３に記憶されても良い。かかる場合、特定部４３の機能は携帯端末３に備えられる。
【００７１】
図１４は、携帯端末３の他の動作例を示すフローチャートである。Ｓ１１０１からＳ１１０２に示す処理は、Ｓ８０１からＳ８０２に示す処理と同様である。例えば、携帯端末３では、発信装置２が発した無線信号を受信したか否かが判定される（Ｓ１１０１）。発信装置２が発した無線信号を携帯端末３が受信すると、携帯端末３では、アプリケーションＡが自動的に起動する（Ｓ１１０２）。
【００７２】
Ｓ１１０３からＳ１１０４に示す処理は、基本的に、Ｓ９０２からＳ９０３に示す処理と同様である。Ｓ１１０２でアプリケーションＡが起動すると、携帯端末３では、発信装置２から受信した無線信号と予め記憶された第１変換テーブルとに基づいて、建物番号、号機番号、及び出発階が特定される（Ｓ１１０３）。また、Ｓ１１０２でアプリケーションＡが起動すると、携帯端末３では、発信装置２から受信した無線信号と予め記憶された第２変換テーブルとに基づいて、携帯端末３の利用者の行先階が特定される（Ｓ１１０４）。
【００７３】
Ｓ１１０５に示す処理は、Ｓ８０３に示す処理と同様である。Ｓ１１０５では、携帯端末３からサーバ４に第１信号が自動的に送信される。この第１信号には、例えば、Ｓ１１０３及びＳ１１０４で特定された建物番号、号機番号、出発階、及び行先階の情報が含まれる。
【００７４】
サーバ４では、図８に示す動作と同様の動作が行われる。例えば、サーバ４では、携帯端末３から第１信号を受信したか否かが判定される（Ｓ５０１）。Ｓ１１０５で携帯端末３が送信した第１信号をサーバ４が受信すると、Ｓ５０１でＹｅｓと判定される。サーバ４は、携帯端末３から第１信号を受信すると、エレベーター装置１の制御装置１７に第２信号を送信する（Ｓ５０２）。この第２信号には、例えば、第１信号に含まれていた建物番号、号機番号、出発階、及び行先階の情報が含まれる。
【００７５】
制御装置１７では、図６に示す動作と同様の動作が行われる。例えば、制御装置１７では、サーバ４から第２信号を受信したか否かが判定される（Ｓ３０１）。制御装置１７は、Ｓ３０１で受信した第２信号に基づいて乗場行先呼びを登録する（Ｓ３０２）。制御装置１７は、Ｓ３０２で乗場行先呼びを登録すると、その登録した乗場行先呼びにかご１１を応答させる（Ｓ３０３）。
【００７６】
他の例として、行先階の設定が携帯端末３から行われても良い。図１５は、携帯端末３の他の動作例を示すフローチャートである。Ｓ１２０１からＳ１２０２に示す処理は、Ｓ８０１からＳ８０２に示す処理と同様である。例えば、携帯端末３では、発信装置２が発した無線信号を受信したか否かが判定される（Ｓ８０１）。発信装置２が発した無線信号を携帯端末３が受信すると、携帯端末３では、アプリケーションＡが自動的に起動する（Ｓ８０２）。
【００７７】
携帯端末３では、Ｓ１２０１での無線信号の受信が当該発信装置２からの初めての受信であるか否かが判定される（Ｓ１２０３）。例えば、アプリケーションＡが携帯端末３にインストールされてから携帯端末３が発信装置２から初めて無線信号を受信すると、Ｓ１２０３でＹｅｓと判定される。一方、携帯端末３が以前に発信装置２から無線信号を受信したことがあれば、Ｓ１２０３でＮｏと判定される。かかる場合は、上述した何れかの例と同様の動作が行われる。例えば、アプリケーションＡが起動すると、携帯端末３からサーバ４に第１信号が自動的に送信される（Ｓ１２０６）。この第１信号には、例えば第１情報、第２情報、第３情報、及び第４情報が含まれる。
【００７８】
Ｓ１２０３でＹｅｓと判定されると、携帯端末３の表示器３１に、利用者が行先階を入力するための設定画面が表示される（Ｓ１２０４）。携帯端末３では、表示器３１に設定画面が表示されると、行先階が入力されたか否かが判定される（Ｓ１２０５）。利用者は、入力部３２を操作することにより、表示器３１に表示された設定画面から、エレベーター装置１に対する行先階を入力することができる。例えば、利用者は、設定画面から行先階を入力した後に設定画面に表示された設定ボタンを押す。これにより、Ｓ１２０５でＹｅｓと判定される。
【００７９】
Ｓ１２０５でＹｅｓと判定されると、携帯端末３からサーバ４に第１信号が自動的に送信される（Ｓ１２０６）。この第１信号には、例えば、発信装置２からの無線信号に含まれていた第１情報、第２情報、及び第３情報が含まれる。また、第１信号に、第４情報及び第５情報が更に含まれる。第５情報は、設定画面から入力された行先階の情報である。
【００８０】
図１６は、サーバ４の他の動作例を示すフローチャートである。Ｓ１３０１からＳ１３０２に示す処理は、Ｓ９０１からＳ９０２に示す処理と同様である。例えば、サーバ４では、携帯端末３から第１信号を受信したか否かが判定される（Ｓ１３０１）。Ｓ１２０６で携帯端末３が送信した第１信号を通信部４２が受信すると、Ｓ１３０１でＹｅｓと判定される。特定部４３は、通信部４２が受信した第１信号と記憶部４１に記憶された第１変換テーブルとに基づいて、建物番号、号機番号、及び出発階を特定する（Ｓ１３０２）。
【００８１】
サーバ４では、通信部４２が第１信号を受信すると、その第１信号に第５情報が含まれているか否かが判定される（Ｓ１３０３）。第１信号に第５情報が含まれていなければ、例えば、Ｓ９０３からＳ９０４に示す処理と同様の処理が行われる。特定部４３は、Ｓ１３０１で通信部４２が受信した第１信号と記憶部４１に記憶された第２変換テーブルとに基づいて、当該第１信号を送信してきた携帯端末３の利用者の行先階を特定する（Ｓ１３０５）。また、通信部４２は、エレベーター装置１の制御装置１７に第２信号を送信する（Ｓ１３０６）。この第２信号には、例えば、特定部４３が特定した建物番号、号機番号、出発階、及び行先階の情報が含まれる。
【００８２】
一方、第１信号に第５情報が含まれている場合は、携帯端末３の利用者の行先階の情報が第２変換テーブルに新規に登録される（Ｓ１３０４）。例えば、第１情報「１００１」、第２情報「２００１」、第３情報「０１」、第４情報「３０００１」、及び第５情報「５階」を含む第１信号をサーバ４が受信した場合を考える。サーバ４が当該第１信号を受信した時に、制御装置１７に対する携帯端末３の利用者の行先階の情報は、第２変換テーブルに登録されていない。サーバ４が当該第１信号を受信すると、第１信号に含まれる第５情報「５階」が、制御装置１７に対する第４情報「３０００１」の行先階として、第２変換テーブルに新規に登録される。これにより、表示器３１の設定画面から利用者が入力した行先階の情報がサーバ４の記憶部４１に記憶される。
【００８３】
なお、アプリケーションＡが起動している時に入力部３２から特定の操作が行われることにより、上記設定画面が表示器３１に表示されても良い。これにより、第２変換テーブルに登録されている行先階の情報を携帯端末３から変更することができる。また、以下に示すような他の設定を当該設定画面から行うことができるようにしても良い。
・乗場インジケータの非表示設定
・戸閉速度制御及び戸開放時間制御の設定
・行先階への直行運転の設定
なお、戸閉速度制御は、ドアを閉める時のドア速度を通常の速度よりも遅くするための制御である。戸開放時間制御は、ドアを開放しておく時間を通常の時間より長くするための制御である。
【００８４】
実施の形態３．
本実施の形態では、エレベーターシステムにおいて群管理が行われる例について説明する。図１７は、実施の形態３におけるエレベーターシステムの例を示す図である。図１７に示すエレベーターシステムは、例えば複数台のエレベーター装置１、群管理装置６、保守装置７、通信装置８、発信装置２、携帯端末３、及びサーバ４を備える。
【００８５】
群管理装置６は、複数台のエレベーター装置１、即ち複数のかご１１を一群として管理する。図１７は、群管理装置６が４台のエレベーター装置１を一群として管理する例を示す。群管理装置６は、各エレベーター装置の制御装置１７に接続される。また、群管理装置６に保守装置７が接続される。保守装置７に通信装置８が接続される。サーバ４は、通信装置８及び保守装置７を介して群管理装置６に接続される。
【００８６】
発信装置２は、エレベーターの乗場２０に設けられる。群管理装置６が管理するかご１１のそれぞれは、乗場２０に停止する。発信装置２は、アプリケーションＡを起動するための無線信号を発する。
【００８７】
携帯端末３では、実施の形態１で開示した何れかの動作が行われる。例えば、携帯端末３では、図４に示す動作と同様の動作が行われる。携帯端末３では、発信装置２が発した無線信号を受信したか否かが判定される（Ｓ１０１）。発信装置２が発した無線信号を携帯端末３が受信すると、携帯端末３では、アプリケーションＡが自動的に起動する（Ｓ１０２）。
【００８８】
Ｓ１０２でアプリケーションＡが起動すると、携帯端末３からサーバ４に第１信号が自動的に送信される（Ｓ１０３）。この第１信号には、例えば、発信装置２からの無線信号に含まれていた第１情報、第２情報、及び第３情報が含まれる。
【００８９】
図１８は、サーバ４の動作例を示すフローチャートである。Ｓ１４０１からＳ１４０３に示す処理は、Ｓ２０１からＳ２０３に示す処理と同様である。サーバ４では、携帯端末３から第１信号を受信したか否かが判定される（Ｓ１４０１）。Ｓ１０３で携帯端末３が送信した第１信号を通信部４２が受信すると、Ｓ１４０１でＹｅｓと判定される。特定部４３は、通信部４２が受信した第１信号と記憶部４１に記憶された第１変換テーブルとに基づいて、建物番号、号機番号、及び出発階を特定する（Ｓ１４０２）。表３は、記憶部４１に記憶された第１変換テーブルの例を示す。
【００９０】
【表３】
0006590118.tif 000004
【００９１】
発信装置２が発する無線信号に、第１情報「１００１」、第２情報「２００１」、及び第３情報「０１」が含まれる例を考える。かかる場合、特定部４３により、Ｓ１４０２において建物番号「Ｂ０００１」、号機番号「Ｅ０１」、及び出発階「１階」が特定される。
【００９２】
建物番号「Ｂ０００１」と号機番号「Ｅ０１」との組み合わせにより、利用者が乗ろうとしているエレベーター装置を、ＡＢＣビルに備えられた１号機、即ちエレベーター装置１と特定することができる。更に、このエレベーター装置１は、群番号「Ｇ０１」が割り当てられた群管理装置６によって管理されていることを特定することができる。
【００９３】
Ｓ１４０１で受信した第１信号から特定部４３が建物番号、号機番号、及び出発階を特定すると、通信部４２は第２信号を送信する（Ｓ１４０３）。第２信号には、例えば、特定部４３が特定した建物番号、号機番号、及び出発階の情報が含まれる。上述したように、特定部４３が特定した建物番号「Ｂ０００１」及び号機番号「Ｅ０１」から群管理装置６が特定される。通信部４２は、Ｓ１４０３において群管理装置６に第２信号を送信する。
【００９４】
図１９は、群管理装置６の動作例を示すフローチャートである。群管理装置６では、サーバ４から第２信号を受信したか否かが判定される（Ｓ１５０１）。Ｓ１４０３でサーバ４が送信した第２信号を通信装置８及び保守装置７を介して群管理装置６が受信すると、Ｓ１５０１でＹｅｓと判定される。群管理装置６は、Ｓ１５０１で受信した第２信号に基づいて呼びを登録する（Ｓ１５０２）。第２信号には、出発階の情報が含まれる。例えば、群管理装置６は、第２信号に含まれる出発階の情報に基づいて乗場呼びを登録する。
【００９５】
群管理装置６は、Ｓ１５０２で呼びを登録すると、その登録した呼びに応答させるかご、即ち割当かごを、管理する複数のかご１１の中から決定する（Ｓ１５０３）。群管理装置６は、割当かごを決定すると、その割当かごを制御する制御装置１７に応答指示を行う（Ｓ１５０４）。この応答指示には、出発階の情報が含まれる。制御装置１７では、群管理装置６からの応答指示に基づいて乗場呼びを登録し、その登録した乗場呼びにかご１１を応答させる。
【００９６】
本実施の形態に示す例であれば、利用者は、携帯端末３を利用して乗場呼びを登録することができる。また、本実施の形態に示す例では、携帯端末３が群管理装置６と通信するためのアクセスポイントは必要ない。このため、システムの管理を容易に行うことができる。
【００９７】
図１７に示す例では、例えば、保守装置１８は定期的に群管理装置６に診断運転を行わせる。保守装置１８は、診断運転において、異常を検出するために必要な各種データをエレベーター装置ごとに取得する。保守装置１８は、診断運転で取得したデータを通信装置８を介してサーバ４に送信する。
【００９８】
本システムにおいて、発信装置２は、群管理装置６と通信しなくても良い。発信装置２は、制御装置１７と通信しなくても良い。発信装置２は、エレベーター装置１に備えられた機器に接続されていなくても良い。発信装置２は、例えば内部に電池を備えても良い。
【００９９】
図２０は、実施の形態３におけるエレベーターシステムの他の例を示す図である。図２０に示すエレベーターシステムは、例えば複数台のエレベーター装置１、群管理装置６、発信装置２、携帯端末３、及びサーバ４を備える。図２０に示すエレベーターシステムでは、各エレベーター装置１に保守装置１８及び通信装置１９が備えられる。図２０では、かご１１といったエレベーター装置１の一部の要素の記載を省略している。
【０１００】
群管理装置６は、複数台のエレベーター装置１、即ち複数のかご１１を一群として管理する。図２０は、群管理装置６が４台のエレベーター装置１を一群として管理する例を示す。群管理装置６は、各エレベーター装置の制御装置１７に接続される。各エレベーター装置１では、制御装置１７に保守装置１８が接続される。保守装置１８に通信装置１９が接続される。図２０は、群管理装置６が管理するエレベーター装置１の一つが代表号機に設定され、サーバ４がその代表号機を介して群管理装置６に接続される例を示す。
【０１０１】
以下においては、代表号機を他の号機と区別する必要がある場合、代表号機の要素を示す符号の後にＡを付す。例えば、サーバ４は、通信装置１９Ａ、保守装置１８Ａ、及び制御装置１７Ａを介して群管理装置６に接続される。
【０１０２】
携帯端末３では、実施の形態１で開示した何れかの動作が行われる。例えば、携帯端末３では、図４に示す動作と同様の動作が行われる。携帯端末３では、発信装置２が発した無線信号を受信したか否かが判定される（Ｓ１０１）。発信装置２が発した無線信号を携帯端末３が受信すると、携帯端末３では、アプリケーションＡが自動的に起動する（Ｓ１０２）。
【０１０３】
Ｓ１０２でアプリケーションＡが起動すると、携帯端末３からサーバ４に第１信号が自動的に送信される（Ｓ１０３）。この第１信号には、例えば、発信装置２からの無線信号に含まれていた第１情報、第２情報、及び第３情報が含まれる。
【０１０４】
サーバ４では、図１８に示す動作と同様の動作が行われる。例えば、サーバ４では、携帯端末３から第１信号を受信したか否かが判定される（Ｓ１４０１）。Ｓ１０３で携帯端末３が送信した第１信号を通信部４２が受信すると、Ｓ１４０１でＹｅｓと判定される。特定部４３は、通信部４２が受信した第１信号と記憶部４１に記憶された第１変換テーブルとに基づいて、建物番号、号機番号、及び出発階を特定する（Ｓ１４０２）。表４は、記憶部４１に記憶された第１変換テーブルの例を示す。
【０１０５】
【表４】
0006590118.tif 000005
【０１０６】
発信装置２が発する無線信号に、第１情報「１００１」、第２情報「２００１」、及び第３情報「０１」が含まれる例を考える。かかる場合、特定部４３により、Ｓ１４０２において建物番号「Ｂ０００１」、号機番号「Ｅ０１」、及び出発階「１階」が特定される。
【０１０７】
建物番号「Ｂ０００１」と号機番号「Ｅ０１」との組み合わせにより、利用者が乗ろうとしているエレベーター装置を、ＡＢＣビルに備えられた１号機、即ちエレベーター装置１と特定することができる。更に、このエレベーター装置１を管理する群管理装置６には、代表号機「Ｅ０１」を介して信号を送信すれば良いことが分かる。
【０１０８】
Ｓ１４０１で受信した第１信号から特定部４３が建物番号、号機番号、及び出発階を特定すると、通信部４２は第２信号を送信する（Ｓ１４０３）。第２信号には、例えば、特定部４３が特定した建物番号、号機番号、及び出発階の情報が含まれる。上述したように、特定部４３が特定した建物番号「Ｂ０００１」及び号機番号「Ｅ０１」から群管理装置６に信号を送信するための代表号機が特定される。通信部４２は、Ｓ１４０３において、特定された代表号機を介して群管理装置６に第２信号を送信する。
【０１０９】
図２１は、代表号機として設定されたエレベーター装置１の制御装置１７の動作例を示すフローチャートである。例えば、図２１は、制御装置１７Ａの動作例を示す。制御装置１７Ａでは、サーバ４から第２信号を受信したか否かが判定される（Ｓ１６０１）。例えば、Ｓ１４０３でサーバ４が送信した第２信号は、通信装置１９Ａによって受信される。通信装置１９Ａは、サーバ４から受信した第２信号を保守装置１８Ａに送信する。保守装置１８Ａは、通信装置１９Ａから受信した第２信号を制御装置１７Ａに送信する。Ｓ１４０３でサーバ４が送信した第２信号を通信装置１９Ａ及び保守装置１８Ａを介して制御装置１７Ａが受信すると、Ｓ１６０１でＹｅｓと判定される。制御装置１７Ａは、サーバ４から受信した第２信号を群管理装置６に送信する（Ｓ１６０２）。
【０１１０】
群管理装置６では、図１９に示す動作と同様の動作が行われる。群管理装置６では、サーバ４からの第２信号を制御装置１７Ａから受信したか否かが判定される（Ｓ１５０１）。Ｓ１６０２で制御装置１７Ａが転送した第２信号を群管理装置６が受信すると、Ｓ１５０１でＹｅｓと判定される。群管理装置６は、Ｓ１５０１で受信した第２信号に基づいて呼びを登録する（Ｓ１５０２）。第２信号には、出発階の情報が含まれる。例えば、群管理装置６は、第２信号に含まれる出発階の情報に基づいて乗場呼びを登録する。
【０１１１】
群管理装置６は、Ｓ１５０２で呼びを登録すると、その登録した呼びに応答させるかご、即ち割当かごを、管理する複数のかご１１の中から決定する（Ｓ１５０３）。群管理装置６は、割当かごを決定すると、その割当かごを制御する制御装置１７に応答指示を行う（Ｓ１５０４）。この応答指示には、出発階の情報が含まれる。制御装置１７では、群管理装置６からの応答指示に基づいて乗場呼びを登録し、その登録した乗場呼びにかご１１を応答させる。
【０１１２】
図２０に示す例では、制御装置１７Ａが群管理装置６の機能を備えても良い。かかる場合、図２１に示す動作は行われない。例えば、制御装置１７Ａは、群管理機能として、図１９に示す動作と同様の動作を行う。
【０１１３】
なお、図２０に示す例では、エレベーター装置１ごとに診断運転が行われる。例えば、保守装置１８は、定期的に制御装置１７に診断運転を行わせる。保守装置１８は、診断運転で取得したデータを通信装置１９を介してサーバ４に送信する。一例として、保守装置１８Ａは、定期的に制御装置１７Ａに診断運転を行わせる。保守装置１８Ａは、診断運転で取得したデータを通信装置１９Ａを介してサーバ４に送信する。なお、他の保守装置１８がサーバ４にデータを送信する場合は、対応の通信装置１９を介してデータを送信しても良いし、代表号機の通信装置１９Ａを介してデータを送信しても良い。
【０１１４】
実施の形態４．
実施の形態３では、携帯端末３を利用して乗場呼びを登録する例について説明した。本実施の形態では、携帯端末３を利用して乗場行先呼びを登録する例について説明する。本実施の形態におけるエレベーターシステムの構成は、例えば図１７に示す例と同様である。
【０１１５】
携帯端末３では、実施の形態２で開示した何れかの動作が行われる。例えば、携帯端末３では、図１１に示す動作と同様の動作が行われる。携帯端末３では、発信装置２が発した無線信号を受信したか否かが判定される（Ｓ８０１）。発信装置２が発した無線信号を携帯端末３が受信すると、携帯端末３では、アプリケーションＡが自動的に起動する（Ｓ８０２）。
【０１１６】
Ｓ８０２でアプリケーションＡが起動すると、携帯端末３からサーバ４に第１信号が自動的に送信される（Ｓ８０３）。この第１信号には、例えば、発信装置２からの無線信号に含まれていた第１情報、第２情報、及び第３情報が含まれる。また、第１信号には、第４情報が更に含まれる。
【０１１７】
図２２は、サーバ４の動作例を示すフローチャートである。Ｓ１７０１からＳ１７０４に示す処理は、Ｓ９０１からＳ９０４に示す処理と同様である。サーバ４では、携帯端末３から第１信号を受信したか否かが判定される（Ｓ１７０１）。Ｓ８０３で携帯端末３が送信した第１信号を通信部４２が受信すると、Ｓ１７０１でＹｅｓと判定される。特定部４３は、通信部４２が受信した第１信号と記憶部４１に記憶された第１変換テーブルとに基づいて、建物番号、号機番号、及び出発階を特定する（Ｓ１７０２）。上述したように、特定した建物番号及び号機番号から、対応の群管理装置を特定することができる。
【０１１８】
本実施の形態に示す例では、記憶部４１に第２変換テーブルが予め記憶される。表５は、記憶部４１に記憶された第２変換テーブルの例を示す。
【０１１９】
【表５】
0006590118.tif 000006
【０１２０】
記憶部４１には、群管理装置６に対して設定された利用者毎の行先階の情報が予め記憶されている。特定部４３は、Ｓ１７０１で通信部４２が受信した第１信号と記憶部４１に記憶された第２変換テーブルとに基づいて、当該第１信号を送信してきた携帯端末３の利用者の行先階を特定する（Ｓ１７０３）。なお、第２変換テーブルには、複数の群管理装置のそれぞれに対して、利用者毎の行先階の情報が予め設定される。建物に群管理装置が備えられていない場合は、実施の形態２に示す例と同様に、エレベーター装置の制御装置に対して、利用者毎の行先階の情報が設定される。
【０１２１】
Ｓ１７０１で受信した第１信号から特定部４３が建物番号、号機番号、出発階、及び行先階を特定すると、通信部４２は、エレベーター装置１を管理する群管理装置６に第２信号を送信する（Ｓ１７０４）。この第２信号には、例えば、特定部４３が特定した建物番号、号機番号、出発階、及び行先階の情報が含まれる。
【０１２２】
群管理装置６では、図１９に示す動作と同様の動作が行われる。例えば、群管理装置６では、サーバ４から第２信号を受信したか否かが判定される（Ｓ１５０１）。Ｓ１７０４でサーバ４が送信した第２信号を通信装置８及び保守装置７を介して群管理装置６が受信すると、Ｓ１５０１でＹｅｓと判定される。群管理装置６は、Ｓ１５０１で受信した第２信号に基づいて呼びを登録する（Ｓ１５０２）。第２信号には、出発階及び行先階の情報が含まれる。例えば、群管理装置６は、第２信号に含まれる出発階及び行先階の情報に基づいて乗場行先呼びを登録する。
【０１２３】
群管理装置６は、Ｓ１５０２で呼びを登録すると、その登録した呼びに応答させる割当かごを、管理する複数のかご１１の中から決定する（Ｓ１５０３）。群管理装置６は、割当かごを決定すると、その割当かごを制御する制御装置１７に応答指示を行う（Ｓ１５０４）。この応答指示には、出発階及び行先階の情報が含まれる。制御装置１７では、群管理装置６からの応答指示に基づいて乗場行先呼びを登録し、その登録した乗場行先呼びにかご１１を応答させる。
【０１２４】
本実施の形態に示す例であれば、利用者は、携帯端末３を利用して乗場行先呼びを登録することができる。また、本実施の形態に示す例においても、携帯端末３が群管理装置６と通信するための専用のアクセスポイントは必要ない。このため、システムの管理を容易に行うことができる。
【０１２５】
上述したように、本実施の形態に示す例では、第１変換テーブルが携帯端末３に記憶されても良い。かかる場合、特定部４３の一部の機能は携帯端末３に備えられる。第１変換テーブルと第２変換テーブルの双方が携帯端末３に記憶されても良い。かかる場合、特定部４３の機能は携帯端末３に備えられる。更に、行先階の設定が携帯端末３から行われても良い。
【０１２６】
本実施の形態におけるエレベーターシステムの構成は、例えば図２０に示す例と同様であっても良い。かかる場合、携帯端末３では、実施の形態２で開示した何れかの動作が行われる。例えば、携帯端末３では、図１１に示す動作と同様の動作が行われる。携帯端末３では、発信装置２が発した無線信号を受信したか否かが判定される（Ｓ８０１）。発信装置２が発した無線信号を携帯端末３が受信すると、携帯端末３では、アプリケーションＡが自動的に起動する（Ｓ８０２）。
【０１２７】
Ｓ８０２でアプリケーションＡが起動すると、携帯端末３からサーバ４に第１信号が自動的に送信される（Ｓ８０３）。この第１信号には、例えば、発信装置２からの無線信号に含まれていた第１情報、第２情報、及び第３情報が含まれる。また、第１信号には、第４情報が更に含まれる。
【０１２８】
サーバ４では、図２２に示す動作と同様の動作が行われる。例えば、サーバ４では、携帯端末３から第１信号を受信したか否かが判定される（Ｓ１７０１）。Ｓ８０３で携帯端末３が送信した第１信号を通信部４２が受信すると、Ｓ１７０１でＹｅｓと判定される。特定部４３は、通信部４２が受信した第１信号と記憶部４１に記憶された第１変換テーブルとに基づいて、建物番号、号機番号、及び出発階を特定する（Ｓ１７０２）。上述したように、特定した建物番号及び号機番号から、対応の群管理装置に信号を送信するための代表号機を特定することができる。
【０１２９】
また、記憶部４１に第２変換テーブルが予め記憶される。表６は、記憶部４１に記憶された第２変換テーブルの例を示す。
【０１３０】
【表６】
0006590118.tif 000007
【０１３１】
記憶部４１には、代表号機、即ち群管理装置６に対して設定された利用者毎の行先階の情報が予め記憶されている。特定部４３は、Ｓ１７０１で通信部４２が受信した第１信号と記憶部４１に記憶された第２変換テーブルとに基づいて、当該第１信号を送信してきた携帯端末３の利用者の行先階を特定する（Ｓ１７０３）。
【０１３２】
Ｓ１７０１で受信した第１信号から特定部４３が建物番号、号機番号、出発階、及び行先階を特定すると、通信部４２は第２信号を送信する（Ｓ１７０４）。この第２信号には、例えば、特定部４３が特定した建物番号、号機番号、出発階、及び行先階の情報が含まれる。上述したように、特定部４３が特定した建物番号及び号機番号から群管理装置６に信号を送信するための代表号機が特定される。通信部４２は、Ｓ１７０４において、特定された代表号機を介して群管理装置６に第２信号を送信する。
【０１３３】
代表号機の制御装置１７では、図２１に示す動作と同様の動作が行われる。例えば、制御装置１７Ａでは、サーバ４から第２信号を受信したか否かが判定される（Ｓ１６０１）。Ｓ１７０４でサーバ４が送信した第２信号を通信装置１９Ａ及び保守装置１８Ａを介して制御装置１７Ａが受信すると、Ｓ１６０１でＹｅｓと判定される。制御装置１７Ａは、サーバ４から受信した第２信号を群管理装置６に送信する（Ｓ１６０２）。
【０１３４】
群管理装置６では、図１９に示す動作と同様の動作が行われる。群管理装置６では、サーバ４からの第２信号を例えば制御装置１７Ａから受信したか否かが判定される（Ｓ１５０１）。Ｓ１６０２で制御装置１７Ａが転送した第２信号を群管理装置６が受信すると、Ｓ１５０１でＹｅｓと判定される。群管理装置６は、Ｓ１５０１で受信した第２信号に基づいて呼びを登録する（Ｓ１５０２）。第２信号には、出発階及び行先階の情報が含まれる。例えば、群管理装置６は、第２信号に含まれる出発階及び行先階の情報に基づいて乗場行先呼びを登録する。
【０１３５】
群管理装置６は、Ｓ１５０２で呼びを登録すると、その登録した呼びに応答させる割当かごを、管理する複数のかご１１の中から決定する（Ｓ１５０３）。群管理装置６は、割当かごを決定すると、その割当かごを制御する制御装置１７に応答指示を行う（Ｓ１５０４）。この応答指示には、出発階及び行先階の情報が含まれる。制御装置１７では、群管理装置６からの応答指示に基づいて乗場行先呼びを登録し、その登録した乗場行先呼びにかご１１を応答させる。
【０１３６】
図２３は、サーバ４のハードウェア資源の例を示す図である。サーバ４は、ハードウェア資源として、例えばプロセッサ５１とメモリ５２とを含む処理回路５０を備える。サーバ４は、メモリ５２に記憶されたプログラムをプロセッサ５１によって実行することにより、各実施の形態で説明した機能を実現する。
【０１３７】
プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ５２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【０１３８】
図２４は、サーバ４のハードウェア資源の他の例を示す図である。図２４に示す例では、サーバ４は、例えばプロセッサ５１、メモリ５２、及び専用ハードウェア５３を含む処理回路５０を備える。図２４は、サーバ４が有する機能の一部を専用ハードウェア５３によって実現する例を示す。サーバ４が有する機能の全部を専用ハードウェア５３によって実現しても良い。専用ハードウェア５３として、単一回路、複合回路、プログラム化したプロセッサ、並列プログラム化したプロセッサ、ＡＳＩＣ、ＦＰＧＡ、又はこれらの組み合わせを採用できる。
【０１３９】
なお、携帯端末３のハードウェア資源の例は、図２３に示す例と同様である。携帯端末３は、ハードウェア資源として、例えばプロセッサとメモリとを含む処理回路を備える。携帯端末３は、メモリに記憶されたプログラムをプロセッサによって実行することにより、各実施の形態で説明した機能を実現する。図２４に示す例と同様に、携帯端末３が有する機能の一部を専用ハードウェアによって実現しても良い。携帯端末３が有する機能の全部を専用ハードウェアによって実現しても良い。
【０１４０】
同様に、制御装置１７のハードウェア資源の例は、図２３に示す例と同様である。制御装置１７は、ハードウェア資源として、例えばプロセッサとメモリとを含む処理回路を備える。制御装置１７は、メモリに記憶されたプログラムをプロセッサによって実行することにより、各実施の形態で説明した機能を実現する。図２４に示す例と同様に、制御装置１７が有する機能の一部を専用ハードウェアによって実現しても良い。制御装置１７が有する機能の全部を専用ハードウェアによって実現しても良い。
【０１４１】
群管理装置６のハードウェア資源の例は、図２３に示す例と同様である。群管理装置６は、ハードウェア資源として、例えばプロセッサとメモリとを含む処理回路を備える。群管理装置６は、メモリに記憶されたプログラムをプロセッサによって実行することにより、各実施の形態で説明した機能を実現する。図２４に示す例と同様に、群管理装置６が有する機能の一部を専用ハードウェアによって実現しても良い。群管理装置６が有する機能の全部を専用ハードウェアによって実現しても良い。
【産業上の利用可能性】
【０１４２】
この発明は、携帯端末を利用して呼びを登録するエレベーターシステムに適用できる。
【符号の説明】
【０１４３】
１  エレベーター装置、  ２  発信装置、  ３  携帯端末、  ４  サーバ、  ５  ネットワーク、  ６  群管理装置、  ７  保守装置、  ８  通信装置、  １１  かご、  １２  つり合いおもり、  １３  昇降路、  １４  主ロープ、  １５  巻上機、  １６  駆動綱車、  １７  制御装置、  １８  保守装置、  １９  通信装置、  ２０  乗場、  ３１  表示器、  ３２  入力部、  ４１  記憶部、  ４２  通信部、  ４３  特定部、  ５０  処理回路、  ５１  プロセッサ、  ５２  メモリ、  ５３  専用ハードウェア
【要約】
エレベーターシステムは、制御装置（１７）、発信装置（２）、及びサーバ（４）を備える。発信装置（２）は、アプリケーションＡを起動するための無線信号を発する。アプリケーションＡが起動すると、制御装置（１７）と出発階とを特定するための第１信号が携帯端末（３）からサーバ（４）に送信される。サーバ（４）は、出発階の情報を含む第２信号を送信する。制御装置（１７）は、サーバ（４）からの第２信号に基づいて呼びを登録する。【図１】
0006590118.tif 000008
【図２】
0006590118.tif 000009
【図３】
0006590118.tif 000010
【図４】
0006590118.tif 000011
【図５】
0006590118.tif 000012
【図６】
0006590118.tif 000013
【図７】
0006590118.tif 000014
【図８】
0006590118.tif 000015
【図９】
0006590118.tif 000016
【図１０】
0006590118.tif 000017
【図１１】
0006590118.tif 000018
【図１２】
0006590118.tif 000019
【図１３】
0006590118.tif 000020
【図１４】
0006590118.tif 000021
【図１５】
0006590118.tif 000022
【図１６】
0006590118.tif 000023
【図１７】
0006590118.tif 000024
【図１８】
0006590118.tif 000025
【図１９】
0006590118.tif 000026
【図２０】
0006590118.tif 000027
【図２１】
0006590118.tif 000028
【図２２】
0006590118.tif 000029
【図２３】
0006590118.tif 000030
【図２４】
0006590118.tif 000031